(57)【特許請求の範囲】
【請求項１】
仕切板が挿入される切り込みであって、上辺から底辺に向かって延びており、当該仕切板の厚さよりも幅が広い切り込みを有しており、当該切り込みの延びる方向が鉛直方向となるよう配置される支持板を備え、
前記支持板の、前記切り込みと底辺との間の部分である前記切り込みの底部は、前記切り込みに挿入される前記仕切板で上方向から押されることで、下方向に凸となるよう押し曲げ可能な形状を有しており、
前記支持板の底辺には、当該支持板の正面側および裏面側に対して、それぞれ、垂直となる板状の安定部材が設けられており、
前記安定部材の下面の、前記支持板の左端寄りの部分および右端寄りの部分の、前記支持板に対して正面側および裏面側となる位置には、それぞれ、前記切り込みの底部およびその近傍が、前記仕切板が前記切り込みに挿入される前の状態において、前記支持板が配置される配置面から離れているようにするための、先端が半球形状である円柱状の突起が設けられており、
前記切り込みの上辺近傍に、当該切り込みに挿入された仕切板で当該切り込みの底部が上方向から押されて押し曲げられた状態において、前記仕切板を両面から挟持する挟持部を備えた仕切板用脚。
【請求項２】
前記切り込みの底辺側の端部は、底辺に向かって先細りとなる形状である請求項１記載の仕切板用脚。
【請求項３】
前記切り込みの底辺側の端部は、略Ｖ字形状である請求項１または請求項２記載の仕切板用脚。
【請求項４】
仕切板と、請求項１から請求項３いずれか一項記載の２以上の仕切板用脚と、を備えたパーティション。
【発明の詳細な説明】
【技術分野】
【０００１】
本発明は、仕切板を支持する脚等に関するものである。
【背景技術】
【０００２】
従来の技術としてローパーティションを構成するパネルが転倒しないように支える為の安定脚において、安定脚はスチール製Ｌ形脚とアルミダイキャスト又は樹脂製のＬ形カバー脚を組合せた構造とし、上記スチール製Ｌ形脚は中央部にリブを連続して形成した帯鋼をＬ形に曲げて水平部と垂直部を有し、又Ｌ形カバー脚は水平部と垂直部を有し、少なくとも水平部の底部には収容空間を形成すると共に上記スチール製Ｌ形脚の水平部を収容可能としたものが知られていた（例えば、特許文献１参照）。
【先行技術文献】
【特許文献】
【０００３】
【特許文献１】特開２００６−３２８８８０号公報（第１頁、第１図等）
【発明の概要】
【発明が解決しようとする課題】
【０００４】
しかしながら、従来においては、仕切板を支持する脚に仕切板を固定するためには、ネジ止め等を行う必要があり、仕切板を脚に容易に固定することができない、という課題があった。
【０００５】
本発明は、上記のような課題を解消するためになされたものであり、仕切板を容易に固定することができる仕切板用脚、およびこの仕切板用脚を備えたパーティションを提供することを目的とする。
【課題を解決するための手段】
【０００６】
本発明の仕切板用脚は、仕切板が挿入される切り込みであって、上辺から底辺に向かって延びており、仕切板の厚さよりも幅が広い切り込みを有しており、切り込みの延びる方向が鉛直方向となるよう配置される支持板を備え、支持板の、切り込みと底辺との間の部分である切り込みの底部は、切り込みに挿入される仕切板で上方向から押されることで、下方向に凸となるよう押し曲げ可能な形状を有しており、切り込みの底部およびその近傍は、仕切板が切り込みに挿入される前の状態において、支持板が配置される配置面から離れており、切り込みの上辺近傍に、切り込みに挿入された仕切板で切り込みの底部が上方向から押されて押し曲げられた状態において、仕切板を両面から挟持する挟持部を備えた仕切板用脚である。
【０００７】
かかる構成により、仕切板を切り込みに挿入することにより、仕切板を容易に固定することができる。
【０００８】
また、本発明の仕切板用脚は、前記仕切板用脚において、切り込みの底辺側の端部は、底辺に向かって先細りとなる形状であるようにしてもよい。
【０００９】
かかる構成により、仕切板の下辺側の位置を位置決めできる。
【００１０】
また、本発明の仕切板用脚は、前記仕切板用脚において、切り込みの底辺側の端部は、略Ｖ字形状であるようにしてもよい。
【００１１】
かかる構成により、仕切板の下辺側の位置を切り込みの幅方向の中心近傍に位置決めできる。
【００１２】
本発明のパーティションは、仕切板と、２以上の上記仕切板用脚と、を備えたパーティションである。
【００１３】
かかる構成により、仕切板を仕切板用脚の切り込みに挿入することで、容易に組み立てることができる。
【発明の効果】
【００１４】
本発明による仕切板用脚によれば、仕切板を容易に固定することができる。また、本発明によるパーティションによれば、パーティションを容易に組み立てることができる。
【図面の簡単な説明】
【００１５】
【図１】本発明の実施の形態１にかかる仕切板用脚の斜視図
【図２】同仕切板用脚の平面図（図２（ａ））、正面図（図２（ｂ））、右側面図（図２（ｃ））、および下面図（図２（ｄ））
【図３】同仕切板用脚の、当接部材および吸盤を取り外した状態の、平面図（図３（ａ））、正面図（図３（ｂ））、右側面図（図３（ｃ））、および下面図（図３（ｄ））
【図４】同仕切板用脚の当接部材の正面図（図４（ａ））、下面図（図４（ｂ））、および仕切板と当接される部分とは反対側の側面図（図４（ｃ））
【図５】同仕切板用脚の組み立てかたを示す図（図５（ａ）−図５（ｃ））
【図６】同パーティションの一例を示す斜視図
【図７】本発明の実施の形態２における仕切板用脚の斜視図
【図８】同仕切板用脚の平面図（図８（ａ））、正面図（図８（ｂ））、右側面図（図８（ｃ））、および下面図（図８（ｄ）
【図９】同仕切板用脚の、当接部材、および吸盤を取り外した状態の平面図（図９（ａ））、正面図（図９（ｂ））、右側面図（図９（ｃ））、および下面図（図９（ｄ）
【図１０】同仕切板用脚の、切り込みの底辺側の端部近傍の拡大図（図１０（ａ））、および当接部材の斜視図（図１０（ｂ））
【図１１】同仕切板用脚の組み立てかたを示す図（図１１（ａ）−図１１（ｃ））
【図１２】同パーティションの一例を示す斜視図
【図１３】同仕切板用脚の第一の変形例を示す斜視図（図１３（ａ））、および正面図（図１３（ｂ））
【図１４】同仕切板用脚の第二の変形例を示す斜視図（図１４（ａ））、および正面図（図１４（ｂ））
【発明を実施するための形態】
【００１６】
以下、仕切板用脚等の実施形態について図面を参照して説明する。なお、実施の形態において同じ符号を付した構成要素は同一または相当する部分を示しており、再度の説明を省略する場合がある。
【００１７】
（実施の形態１）
図１は、本実施の形態にかかる仕切板用脚の斜視図である。
【００１８】
図２は、本実施の形態にかかる仕切板用脚の平面図（図２（ａ））、正面図（図２（ｂ））、右側面図（図２（ｃ））、および下面図（図２（ｄ））である。なお、背面図は、正面図と同様であるため、ここでは図示を省略する。また、左側面図は、右側面図と同様であるため、ここでは図示を省略する。
【００１９】
図３は、本実施の形態にかかる仕切板用脚の、当接部材および吸盤を取り外した状態の、平面図（図３（ａ））、正面図（図３（ｂ））、右側面図（図３（ｃ））、および下面図（図３（ｄ））である。なお、背面図は、正面図と同様であるため、ここでは図示を省略する。また、左側面図は、右側面図と同様であるため、ここでは図示を省略する。
【００２０】
図４は、本実施の形態にかかる仕切板用脚の当接部材の正面図（図４（ａ））、下面図（図４（ｂ））、および仕切板２０と当接される部分とは反対側の部分を示す側面図（図４（ｃ））である。
【００２１】
図５（ａ）−図５（ｃ）は、本実施の形態にかかる仕切板用脚を有するパーティションの組み立てかたを説明するための模式図であり、仕切板用脚１０の近傍を正面からみた模式図を示している。
【００２２】
図６は、仕切板用脚１０を有する本実施の形態のパーティションの一例を示す斜視図である。
【００２３】
パーティション１は、２以上の仕切板用脚１０、および仕切板２０を備える。本実施の形態においては、２つの仕切板用脚１０で、仕切板２０を支持する場合を例に挙げて説明するが、仕切板用脚１０の数は、３以上の数であってもよい。仕切板用脚１０の数は、例えば、仕切板２０のサイズ等に応じて変更してもよい。
【００２４】
仕切板用脚１０は、支持板１０１、切り込み１０２、挟持部１０３、吸盤１０４、安定部材１０５を備える。
【００２５】
支持板１０１は、仕切板２０を支持するための板状の部材である。支持板１０１は、例えば、仕切板２０を立てた状態、すなわち、仕切板２０を、表面および裏面が、パーティション１の設置面に対して垂直となる状態で支持する。支持板１０１の平面形状は、矩形形状の上部の２つの角を、四分円に置き換えたような形状となっている。ここでは、支持板１０１の上部の、直線状の部分を、支持板１０１の上辺１０１１と呼び、支持板１０１の下部の直線状の部分を、支持板１０１の底辺１０１２と呼ぶ。支持板１０１の上辺１０１１と底辺１０１２とは、ここでは平行である。なお、支持板１０１の表面または裏面のいずれか一方を、ここでは、支持板１０１の正面とし、他方を裏面とする。なお、支持板１０１の上辺１０１１および底辺１０１２は、いずれも直線状であってもよく、直線状でなくてもよく、例えば、上方や下方に向かって湾曲していてもよい。
【００２６】
ここでは、支持板１０１の厚さが３ｍｍ、支持板１０１の底辺１０１２の長さが１７０ｍｍ、支持板１０１の高さが７４．１８ｍｍである場合を例に挙げて説明する。
【００２７】
支持板１０１の材質としては、ポリプロピレンが用いられる。ただし、支持板１０１の材質は、ポリプロピレンに限定されるものではない。
【００２８】
なお、ここでは、支持板１０１により支持される仕切板２０として、厚さ２ｍｍ、幅４００ｍｍ、高さ５００ｍｍの矩形のアクリル製の板を用いる場合を例に挙げて説明する。
【００２９】
支持板１０１には、仕切板２０（例えば、仕切板２０の下辺側）が挿入される切り込み１０２が設けられている。切り込み１０２は、支持板１０１の上辺１０１１から底辺１０１２に向かって延びている。ここでは、支持板１０１の上辺１０１１および底辺１０１２が平行であるため、切り込み１０２は、上辺１０１１から、上辺１０１１に垂直となるよう、底辺１０１２方向に延びている。切り込み１０２は、上辺において開口している。切り込み１０２は、ここでは、支持板１０１の左右方向の中心を通るように設けられている。ただし、切り込み１０２は、中心を通らなくてもよい。切り込み１０２は、例えば、支持板１０１の底辺１０１２の近傍まで延びている。また、ここでは、切り込み１０２は左右対象な形状であるが、左右対称でなくてもよい。なお、ここでは、支持板１０１を正面からみた場合の、上下方向に対して垂直な方向を、支持板１０１の左右方向とする。
【００３０】
支持板１０１は、通常、切り込みの伸びる方向が鉛直方向となるように配置される。支持板１０１は、例えば、正面および裏面が垂直となるように、パーティション１を配置する配置面等に配置される。なお、支持板１０１を、正面が配置面に対して垂直となるよう配置した場合、支持板１０１の切り込み１０２の下方に位置する部分は、切り込み１０２の底に相当する部分と考えられることから、支持板１０１の、切り込み１０２と底辺１０１２との間、具体的には、切り込み１０２の底辺１０１２側の端部と、底辺１０１２との間の部分を、ここでは、切り込み１０２の底部１０１３と呼ぶ。
【００３１】
切り込み１０２の幅は、仕切板２０の厚さよりも広くなっている。切り込み１０２の幅とは、切り込み１０２の左右方向の長さである。切り込み１０２の幅は、均一な幅であってもよく、不均一な幅であってもよい。
【００３２】
切り込み１０２の底部１０１３は、切り込み１０２に挿入される仕切板２０で上方向から押されることで、下方向に凸となるよう押し曲げ可能な形状を有している。切り込み１０２に挿入される仕切板２０で上方向から押される、ということは、例えば、切り込み１０２に挿入される仕切板２０の重さによって、切り込み１０２の端部（例えば、底部１０１３の仕切板２０と当接する部分）が底辺１０１２方向に向かって押されることである。ここでは、底部１０１３の厚さも、底部１０１３の形状の一要素と考えてよく、底部１０１３を押し曲げ可能な形状とは、例えば、底部１０１３の高さ方向の厚さを、押し曲げ可能な厚さとすることも含む概念である。また、ここでの押し曲げ可能な形状とは、例えば、支持板１０１の材質と、形状との組み合わせで押し曲げ可能となることも含む概念と考えてもよい。押し曲げる、とは、例えば、押している間だけ曲がり、押していないときや、押すのをやめた場合、元の状態に戻ることと考えてよい。下方向に凸となるよう押し曲げられる、ということは、例えば、仕切板２０で押されることで、支持板１０１の弾性等によって、底部１０１３の近傍部分が下方向に凸となるようしなることや、たわむことである。押し曲げ可能ということは、切り込み１０２の底部１０１３が、仕切板２０で押されることで、折れたり折れ曲がったりしないことと考えてもよい。
【００３３】
仕切板用脚１０が有する切り込み１０２は、底辺１０１２側の端部が支持板１０１の底辺１０１２と平行となっている。また、支持板１０１の下部の、切り込み１０２の左右となる領域には、それぞれ、切り込み１０２につながった開口部１０１７が設けられている。ここでは、切り込み１０２の底辺１０１２側の端部である底部１０１３の上面と開口部１０１７の底面とは、同じ高さであり、この開口部１０１７と支持板１０１の底辺１０１２との間の厚さは、切り込み１０２の底部１０１３の厚さが同じ厚さとしている。ここでは、この厚さが２ｍｍである場合を例に挙げて示している。また、右側の開口部１０１７の右端から、左側の開口部１０１７の左端までの幅は、ここでは一例として４６ｍｍとしている。また、開口部１０１７の下端から上端までの長さは、切込み１０２側近傍および左右端側近傍を除いて、約４ｍｍである。切り込み１０２の下部の幅は、開口部１０１７が設けられている部分を除いて、６ｍｍとなっている。なお、上記で説明したサイズ等は一例であり、支持板１０１が支持する仕切板２０のサイズ等に応じて適宜変更可能である。例えば、切り込み１０１２の底部１０１３、開口部１０１７、および安定部材１０５の切り込み１０２近傍は、上述したように、切り込みに挿入される仕切板２０で上方向から押されることで、支持板１０１の底部１０１３近傍部分、および安定部材１０５の底部１０１３の近傍部分が、下方向に凸となるよう押し曲げ可能な形状であれば、その形状は、上記の形状等に限定されるものではない。例えば、切り込み１０２の幅を６ｍｍよりも広くし、開口部１０１７の幅を４６ｍｍよりも広くし、底部１０１３の高さ方向の厚さを２ｍｍよりも厚くするようにしてもよい。
【００３４】
支持板１０１の上辺１０１１近傍部分（具体的には支持板１０１の後述する挟持部１０３が設けられている部分）の下から、支持板１０１の高さ方向の中心に近い位置までの領域には、切り込み１０２の左右に、切り込み１０２側の部分が切り込み１０２とつながっている開口部１０１５が設けられている。この開口部１０１５によって、切り込み１０２の上辺近傍の下側から、支持板１０１の高さ方向の中心に近い位置まで間の幅が、実質的に、切り込み１０２の他の部分の幅よりも広くなっている。これにより、支持板１０１の軽量化が図れるとともに、後述するように、挟持部１０３に当接部材１０３１を取り付けやすくなっている。左右の開口部１０１５の平面形状は、それぞれ横方向が長手方向であるトラック型形状を、中心線が切り込み１０２と重なるよう二分割した形状である。ただし、開口部１０１５の形状およびサイズは上記に限定されるものではない。なお、この開口部１０１５は、不要であれば省略してもよい。
【００３５】
支持板１０１の底辺１０１２には、支持板１０１の両面、すなわち支持板１０１の正面側および裏面側に対して、それぞれ、垂直となる方向に延びる板状の安定部材１０５が設けられている。安定部材１０５は、ここでは厚さ２ｍｍの板状の部材であり、支持板１０１と一体成形されている。安定部材１０５の上面と、切り込み１０２の端部（すなわち切り込み１０２の底部１０１３の上面）と、開口部１０１７の底面とは、同じ高さとなっている。また、安定部材１０５の下面と、支持板１０１の底辺１０１２とは、同じ高さとなっている。安定部材１０５の、支持板１０１の正面および裏面に垂直な方向の長さは、支持板１０１の左右の端に近い部分が、内側の部分（すなわち、切り込み１０２側の部分）よりも長くなっている。ここでは、安定部材１０５の、支持板１０１の正面および裏面からの長さは、支持板１０１の左右の端に近い部分の最大値が１８．５ｍｍ、支持板１０１の中心側の部分（すなわち、切り込み１０２側の部分）の最大値が１１ｍｍとなっている。ただし、この安定部材１０５のサイズおよび形状等は一例であり、安定部材１０５のサイズおよび形状等はこれらに限定されるものではない。安定部材１０５は、例えば、支持板１０１を、切り込み１０２の延びる方向が鉛直方向となるよう配置する際に、支持板１０１が容易に正面方向、または裏面方向に倒れないように補助する役割を果たす。また、安定部材１０５は、例えば、支持板１０１の底部１０１３を補強する役割等も果たす。なお、安定部材１０５の厚さは、２ｍｍ以外であってもよい。また、安定部材１０５は、支持板１０１と一体成形されていなくてもよい。
【００３６】
なお、安定部材１０５の形状は、切り込み１０２に挿入される仕切板２０で上方向から押されることで、切り込み１０２の底部１０１３近傍が下方向に凸となるよう押し曲げ可能な形状を有していれば、上記の形状に限定されるものではない。ここでの安定部材１０５の形状は、例えば、安定部材１０５の厚さや、支持板１０１の正面および裏面方向の長さ等のサイズも含む概念である。なお、ここでは、安定部材１０５の、切り込み１０２の底部１０１３の正面側および裏面側となる部分も、切り込み１０２に挿入される仕切板２０に当接するようになっている。
【００３７】
仕切板用脚１０の、支持板１０１の底辺１０１２の、切り込み１０２に対して外側（すなわち左端側および右端側）となる位置には、それぞれ吸盤１０４が一つずつ設けられている。吸盤１０４の吸着面の直径は３０ｍｍである。ただし、吸盤１０４の吸着面の直径等はこのサイズに限定されるものではない。
【００３８】
ここで用いる吸盤１０４は、吸着面とは反対側に軸を有しているとともに、この軸の円周に沿って安定部材１０５よりも幅が狭い溝（図示せず）が設けられている。支持板１０１の底辺１０１２および安定部材１０５の、吸盤１０４を取り付ける位置の左側には、吸盤１０４の軸が通過可能な第一の貫通孔１０５２が設けられており、凹部１０１４に隣接する部分であって、この第一の貫通孔１０５２の右側の、第一の貫通孔１０５２と一部が重なる位置に、吸盤１０４の軸に設けられた溝の部分の直径と略同一サイズの幅を有する第二の貫通孔１０５３とが設けられている。第二の貫通孔１０５３の位置を、例えば、吸盤１０４の取り付け位置と考えてよい。また、この第二の貫通孔１０５３の縁は、吸盤１０４の溝にはめ込み可能となるよう、吸盤１０４の軸の溝の幅とほぼ同じ厚さとなっている。また、支持板１０１の底辺１０１２側の、第一の貫通孔１０５２と第二の貫通孔１０５３との上方には、吸盤１０４の軸の先端側を収容可能な凹部１０１４が設けられている。そして、吸盤１０４の軸を第一の貫通孔１０５２に通した後、吸盤１０４の軸が第二の貫通孔１０５３にはめ込まれるよう、吸盤１０４の軸の溝が第二の貫通孔１０５３の縁にはめ込みながら、吸盤１０４を第二の貫通孔１０５３側にスライドさせることで、吸盤１０４が、支持板１０１の底辺および安定部材１０５の、切り込み１０２を挟んで両側となる位置、言い換えれば、切り込み１０７に対して外側となる位置に着脱可能に取り付けられる。
【００３９】
なお、上記の各吸盤１０４の取り付けかたは一例であり、吸盤１０４の取り付けかたは上記に取り付けかたに限定されるものではない。また、各吸盤１０４は、仕切板用脚１０の上記のような位置に取り付けられていれば、直接、支持板１０１等に取り付けられていてもよく、直接、支持板１０１等に取り付けられていなくてもよい。
【００４０】
また、仕切板用脚１０を、パーティション１を配置する配置面等に吸着させて固定可能であれば、吸盤１０４を取り付ける位置は上記に限定されるものではない。また、吸盤１０４の数も２つに限定されるものではなく、例えば、３以上の吸盤１０４が取り付けられていてもよい。
【００４１】
なお、仕切板用脚１０を、吸盤１０４を用いて、仕切板用脚１０を配置する面等に吸着させて固定させない場合、仕切板用脚１０の吸盤１０４は省略してもよい。
【００４２】
仕切板用脚１０の、少なくとも、切り込み１０２の底部１０１３およびその近傍は、仕切板２０が切り込み１０２に挿入される前の状態において、支持板１０１が配置される配置面から離れているようになっている。例えば、支持板１０１の底辺の、切り込み１０２の底部１０１３の近傍、および安定部材１０５の下面の、切込み１０２の底部１０１３の正面側の部分と、裏面側の部分と、その周辺は、仕切板２０が切り込み１０２に挿入される前の状態において、支持板１０１が配置される配置面に接していないようになっている。
【００４３】
この仕切板用脚１０においては、一例として、安定部材１０５の下面の、左右方向における外側寄りの部分、すなわち、支持板１０１の左端寄りの部分および右端寄りの部分の、支持板１０１に対して正面側および裏面側となる位置に、それぞれ、先端が半球形状である円柱状の突起１０５４が設けられており、吸盤１０４が仕切板用脚１０の配置面に吸着されるよう配置した状態で、この突起１０５４が配置面に接触するようになっている。これにより、吸盤１０４を吸着させた状態であって、仕切板２０を切り込み１０２に挿入していない状態で、仕切板用脚１０の、少なくとも、切り込み１０２の底部１０１３およびその近傍、具体的には、支持板１０１の底辺１０１２の、切り込み１０２の底部１０１３の部分とその近傍、および安定部材１０５の下面の、切り込み１０２の底部１０１３の正面側の部分と、裏面側の部分と、その周辺が、支持板１０１が配置される配置面と接しておらず、この配置面から離れた状態となっている。この突起１０５４の高さは、３ｍｍである。下面側から見た場合のこの突起１０５４の直径は３ｍｍであり、先端の半球形状部分の直径も３ｍｍである。ただし、突起１０５４は、切り込み１０２に挿入された仕切板２０で切り込み１０２の底部１０１３が上方向から押されて押し曲げることが可能となるよう、支持板１０１の底辺１０１２および安定部材１０５の底面が、仕切板用脚１０の設置面から離れているようなサイズであればよい。
【００４４】
なお、ここでは、吸盤１０４として、例えば、吸盤１０４を配置面に吸着させた状態で、上記の突起１０５４も配置面に接するような形状およびサイズを有するものが用いられるものとする。突起１０５４および吸盤１０４の左右方向の位置は、切り込み１０２の左右方向の中心から６３ｍｍの位置としている。ただし、これらの中心からの距離は、この位置に限定されるものではない。また、ここでは、各突起１０５４の、支持板１０１の表面または裏面からの距離を、１６ｍｍとしている。ただし、この支持板１０１からの距離は、この長さに限定されるものではなく、例えば、各突起１０５４が吸盤１０４と重ならないような距離であればよい。
【００４５】
なお、仕切板２０が切り込み１０２に挿入される前の状態における、切り込み１０２の底部１０１３およびその近傍と、支持板１０１が配置される配置面との距離は、ここでは、３ｍｍであるが、この距離の値は一例であり、この距離は、仕切板２０が切り込み１０２に挿入されたことによって、切り込み１０２の底部１０１３が押し曲げられて、後述する挟持部１０３によって、仕切板２０が挟持可能となるようなスペースが確保可能な距離であれば、上記の距離に限定されるものではない。また、この距離は、吸盤１０４を配置面に吸着させることが可能な距離であることが好ましい。例えば、この距離は、３ｍｍ以上、５ｍｍ以下の範囲の距離であることが好ましい。例えば、下面側から見た場合の上記の突起１０５４の直径を３ｍｍ以上、５ｍｍ以下としてもよい。ただし、この距離は、仕切板２０の挟持に必要な距離だけ、切り込み１０２の底部１０１３が下方に移動可能となる距離であれば、この距離に限定されるものではない。また、突起１０５４および吸盤１０４の左右方向の位置についても、同様に、切り込み１０２の底部１０１３が下方に移動可能となるような位置であれば、上記の位置に限定されるものではない。
【００４６】
また、ここでは、突起１０５４により、切り込み１０２の底部１０１３およびその近傍と、支持板１０１が配置される配置面とが、所望の距離（例えば、仕切板２０で底部１０１３が押し下げ可能となる距離）以上離れているようにしたが、どのように、切り込み１０２の底部１０１３およびその近傍と、支持板１０１が配置される配置面とが所望の距離以上離れているようにしてもよい。例えば、突起１０５４の代わりに、突起１０５４が設けられている部分の安定部材１０５の高さ方向の厚さを、部分的に厚くするようにしてもよい。また、例えば、上述したような吸盤１０４の吸着時の高さによって、切り込み１０２の底部１０１３およびその近傍と、支持板１０１が配置される配置面とが所望の距離以上離れているようにしてもよい。つまり、支持板１０１や安定部材１０５は、切り込み１０２の底部１０１３およびその近傍と、支持板１０１が配置される配置面とが所望の距離以上離れているような構造を有していればよく、その構造は上記のような構造に限定されるものではない。
【００４７】
支持板１０１は、例えば、切り込み１０１の延びる方向が鉛直方向となるよう配置される。例えば、支持板１０１は、支持板１０１の正面および背面が、パーティション１の配置面に対して垂直となるよう配置される。
【００４８】
切り込み１０２の上辺近傍、すなわち、支持板１０１の上辺近傍の左右の、切り込み１０２の縁となる部分には、支持板１０１に対して垂直となるよう切り込み１０２に挿入された仕切板２０を、その表面および裏面の両面から挟持する挟持部１０３が設けられている。支持板１０１と仕切板２０とが垂直になる、ということは、例えば、これらの表面が垂直になることである。挟持部１０３は、切り込み１０２の延びる方向が鉛直方向となるよう配置した支持板１０１の切り込み１０２に挿入された仕切板２０により、切り込み１０２の底部１０１３が上から下方向に押されて押し曲げられた状態で、仕切板２０を両面から挟持するようになっている。
【００４９】
例えば、挟持部１０３は、支持板１０１の切り込み１０２に挿入された仕切板２０で切り込み１０２の底部１０１３が上から下方向に押されて、切り込み１０２の底部１０１３およびその近傍が下方向に押し曲げられて、支持板１０１の切り込み１０２に対して外側となる部分が切り込み１０２側に傾くことで、仕切板２０を両面から挟持するようになっている。具体的な例を挙げると、挟持部１０３は、正面および背面が設置面に対して垂直となるよう配置した支持板１０１の切り込み１０２に挿入された仕切板２０で切り込み１０２の底部１０１３、および安定部材１０５の、底部１０１３の正面および背面に位置する部分が上から下方向に押されて押し曲げられ、支持板１０１の底辺１０１２の切り込み１０２に対して外側となる部分が、底部１０１３側が低くなるよう傾斜し、支持板１０１の切り込み１０２に対して外側の部分が、それぞれ、切り込み１０２側に倒れるよう傾くことで、挟持部１０３の、切り込み１０の両側に位置する部分同士が近づいて、仕切板２０を両面から挟持するようになっている。なお、底部１０１３に対して外側となる部分とは、例えば、底部１０１３に対して、支持板１０１の右側および左側となる部分であり、切り込み１０２に対して外側となる部分とは、例えば、切り込み１０２に対して、支持板１０１の右側および左側となる部分である。かかることは、支持板１０１の他の切り込み１０２等以外の特定の部分に対する外側に関しても同様である。
【００５０】
挟持部１０３は、切り込み１０２に仕切板２０が挿入され、仕切板２０で切り込み１０２の底部１０１３が押されるまでは、切り込み１０２の底部１０１３が下に押し下げられないため、仕切板２０を挟まない。
【００５１】
例えば、切り込み１０２の挟持部１０３の部分の幅が、切り込み１０２の、底辺１０１２側の端部を除いた部分において、最も幅が狭い部分となっている。切り込み１０２の挟持部１０３の部分の幅とは、挟持部１０３の仕切板２０を挟む部分の、仕切板２０を挟む前の幅と考えてもよい。挟持部１０３の仕切板２０を挟む部分の幅は、後述する仕切板２０の当接部材１０３１間や、当接部材１０３１の仕切板２０に当接される部分間の距離と考えてもよい。例えば、切り込み１０２の挟持部１０３の部分の幅が、切り込み１０２の他の部分の最も狭い部分と同じ幅となっていてもよい。また、例えば、切り込み１０２の挟持部１０３の部分の幅が、切り込み１０２の他の部分よりも狭い幅となっていてもよい。ただし、仕切板２０により、切り込み１０２の底部１０１３が上から下方向に押されて押し曲げられた場合に、挟持部１０３が仕切板２０を挟持可能であれば、切り込み１０２の挟持部１０３の部分の幅は、上記のような幅に限定されるものではない。
【００５２】
挟持部１０３の、仕切板２０が挿入される部分の、仕切板２０を挟まない状態での間隔は、例えば、切り込み１０２の最も狭い幅以下の間隔であって、仕切板２０の厚さよりも広い間隔である。ここでは、一例として、この間隔が、底辺１０１２側の端部を除いた部分の最も狭い幅と同じ間隔（すなわち、６ｍｍ）である場合を例に挙げて説明する。なお、ここでは、一例として、挟持部１０３の、仕切板２０が挿入される部分を、切り込み１０２の一部と考える。
【００５３】
挟持部１０３の仕切板２０と接する部分には、図４に示すような、当接部材１０３１が設けられている。当接部材１０３１は、仕切板２０に当接される部材であって、材質が弾性体の部材である。当接部材１０３１として用いられる弾性体は、例えば、ウレタンや、シリコンゴム、天然ゴム等である。当接部材１０３１は、挟持部１０３の切り込み１０２の両側となる部分に設けられている。
【００５４】
ここでは、一例として、挟持部１０３の、切り込み１０２の両側に位置する部分に、切り込み１０２側に突き出た小さな板状の突起である差し込み部１０３２が設けられており、この差し込み部１０３２が、当接部材１０３１に設けられた差し込み部１０３２に嵌合する凹部１０３６にはめ込まれることで、当接部材１０３１が挟持部１０３の一部として取り付けられている。ここでは、差し込み部１０３２の上面および下面には、当接部材１０３１が差し込み部１０３２からが抜け落ちにくくなるよう、４つの凸部１０３４が設けられている。なお、この凸部１０３４の数は、１以上であれば、その数は問わない。また、凸部１０３４は省略してもよい。
【００５５】
ここでは、当接部材１０３１を上下からそれぞれ見た形状は、仕切板２０と接する側に向かって、正面方向および背面方向になだらかに、かつ正面側および背面側が対象となるよう広がっている形状を有している。また、当接部材１０３１の、仕切板２０に当接される部分１０３５（以下、当接部分１０３５と称す場合がある）には、平面形状が矩形形状である複数の突起部１０３３が設けられている。ここでは、４行４列の突起部１０３３が、間隔を隔てて配列されている。このように複数の突起部１０３３が設けられていることで、当接部材１０３１の各突起部１０３３が、仕切板２０に当接される際に、各突起部１０３３が個別に弾性変形することが可能となっており、各突起部１０３３が、仕切板２０に個別に当接されやすくなり、仕切板２０を確実に挟持することが可能となる。当接部材１０３１の、複数の突起部１０３３が設けられた当接部分１０３５のサイズは、幅が１４ｍｍ、高さが１６ｍｍである。また、当接部材１０３１の支持板１０１の幅方向の長さが、１４ｍｍである。また、突起部１０３３の高さは２ｍｍである。ただし、これらの数値は一例であり、上記の数値に限定されるものではない。また、突起部１０３３の形状や数は、上記のような形状や数に限定されるものではない。例えば、平面形状が円形形状等の、矩形形状以外の形状であってもよい。また、突起部１０３３は、半球形状であってもよい。また、当接部材１０３１の形状は、仕切板２０を挟持可能な形状であれば、上記のような形状に限定されるものではない。
【００５６】
なお、ここでは、挟持部１０３の設けられている部分の下に、切り込みとつながった開口部１０１５が設けられていることで、当接部材１０３１が挟持部１０３の差し込み部１０３２にはめ込みやすくなっている。
【００５７】
ここでは、切り込み１０２の両側に設けられた当接部材１０３１の当接部分１０３５間の、間隔が、上述した挟持部１０３の、仕切板２０が挿入される部分の、仕切板２０を挟まない状態での間隔に相当する。また、ここでは、一例として、当接部分１０３５の間の部分を、切り込み１０２の一部と考える。
【００５８】
なお、挟持部１０３は、切り込み１０２の上辺近傍の、切り込み１０２の両側となる部分に設けられたており、切り込み１０２に挿入された仕切板２０で切り込み１０２の底部１０１３が上方向から押されて押し曲げられて、支持板１０１の切り込み１０に対して外側となる部分がそれぞれ切り込み１０２側に傾くことで、仕切板２０を両面から挟持するものであれば、上記のようなものに限定されるものではない。また、底部１０１３が上方向から押されて押し曲げられるということは、底部１０１３およびその近傍が押し曲げられることであってもよい。
【００５９】
また、上記においては、当接部材１０３１が、挟持部１０３にはめ込まれている場合について説明したが、当接部材１０３１の、挟持部１０３への取り付けかたは、上記に限定されるものではなく、例えば、挟持部１０３の切り込み１０３側に接着剤等で、シート状や小型のブロック状の当接部材等を接着してもよく、ネジ止めしてもよい。また、当接部材１０３１は、支持板１０１の挟持部１０３の、切り込み１０２の両側となる部分を直接、仕切板２０に当接させる場合、省略してもよい。
【００６０】
本実施の形態においては、支持板１０１の左右は、それぞれ、切り込み１０２から、下方向に向かって放物線状に垂れ下がる帯状の５つの領域に分割されており、帯状の各領域は、幅方向の中心部分が、正面方向に向かって凹んでおり、背面方向に向かって膨らんでいる。これにより、隣接する帯状の領域間の境界線は、正面側が凸条１０１９となっており、背面側が凹条となっている。帯状の各領域の厚さは、同じ厚さとなっている。ただし、支持板１０１は、このような複数の領域に分かれていなくてもよく、また、凹凸等を有していなくてもよい。
【００６１】
以下、仕切板用脚１０を有するパーティション１の組み立てかたについて説明する。ここでは、２つの仕切板用脚１０を有するパーティション１であって、仕切板２０として、上述したようなサイズの透明なアクリル製の矩形の板を用いる場合を例に挙げて説明する。また、ここでは、仕切板用脚１０が配置される配置面は、例えば、机の天板等である。
【００６２】
まず、図５（ａ）に示すように、２つの仕切板用脚１０を、それぞれの支持板１０１の正面が配置面５００に対して、垂直となるように配置し、各吸盤１０４を配置面５００に吸着させる。このとき、２つの仕切板用脚１０を、支持板１０１の表面が平行となり、かつ、切り込み１０２同士が向かい合うよう配置する。切り込み１０２同士が向かい合うよう配置するということは、切り込み１０２同士が正対するよう仕切板用脚１０を配置することと考えてもよい。具体的には、２つの仕切板用脚１０を、正面が平行となるとともに、正面からみて、２つの仕切板用脚１０が重なる位置に配置する。ただし、仕切板２０が２つの仕切板用脚１０の切り込み１０２に挿入できれば、多少の位置ずれ等が生じていてもよい。また、２つの仕切板用脚１０の間隔は、仕切板２０の幅よりも短い幅となるようにする。ここでは、仕切板２０の左右の両端から、１００ｍｍから１５０ｍｍの間の位置に、それぞれ仕切用脚を配置することが好ましい。吸盤１０４を吸着させることで、各仕切板用脚１０の位置が固定されるとともに、安定部材１０５の突起１０５４が配置面５００に接するようになる。また、支持板１０１の底辺１０１２の、切り込み１０２の底部１０１３の下方に位置する部分、および安定部材１０５の底面の、切り込み１０２の底部１０１３の正面側および裏面側に位置する部分は、配置面５００から突起１０５４の高さ分だけ、例えば３ｍｍだけ離れた状態となっている。
【００６３】
次に、図５（ｂ）に示すように、２つの仕切板用脚１０の、それぞれの切り込み１０２に、仕切板２０を、仕切板２０の表面が、支持板１０１の正面に対して垂直となるよう、上から挿入していく。
【００６４】
そして、図５（ｃ）に示すように、仕切板２０の下端が、切り込み１０２の底辺３０１２側の端部である底部１０１３、および安定部材１０５の上面の、底部１０１３の正面側および背面側に当たると、仕切板２０の重さで、仕切板２０の底部１０１３、仕切板２０の、開口部１０１７の下方の底部１０１３近傍部分、および安定部材１０５の、底部１０１３の正面側および背面側が上から下方向に押されて下方向に下がり、これにより、支持板１０１の底辺１０１２の、底部１０１３の左右の部分が、底部１０１３側が下がるように傾斜し、支持板１０１の切り込み１０２の左右の部分が、切り込み１０２側に倒れるよう傾き、切り込み１０２の上辺近傍の両側に設けられた挟持部１０３の当接部材１０３１が、切り込み１０２側に向かって移動し、当接部材１０３１の当接部分１０３５が、仕切板２０に当接され、挟持部１０３が仕切板２０を挟持する。当接部材１０３１が弾性体であるとともに、当接部分１０３５に複数の突起部１０３３が設けられているため、突起部１０３３が、配置面５００の表面および裏面に当接され、摩擦により仕切板２０が滑り落ちることを防ぐことができる。
【００６５】
このようにして組み立てたパーティションは、例えば、図６のようになる。このパーティション１においては、仕切板２０が、切り込み１０２同士が向かい合うよう配置された２つの仕切板用脚１０のそれぞれの切り込み１０２に挿入されて挟持部１０３により挟持されている。
【００６６】
なお、ここでは、パーティション１が有する仕切板用脚１０の数が２つである場合について説明したが、上述したように、パーティション１が有する仕切板用脚１０の数は、２以上であれば、２つに限定されない。２以上の仕切板用脚１０を用いる場合、例えば、上記の説明において、２つの仕切板用脚１０についての説明を、適宜、２以上の仕切板用脚１０に読み替えるようにすればよい。
【００６７】
以上、本実施の形態によれば、切り込み１０２を設けるとともに、切り込み１０２の上辺１０１１近傍に挟持部１０３を備えるようにしたことにより、切り込み１０２に配置された仕切板２０により、切り込み２０の底部１０１３が上方から押されて下方に押し曲げられ、支持板１０１の底部１０１３の両側の底辺１０１２が、底部１０１３側が下がるよう傾斜して、支持板１０１の切り込み１０２の左右の部分が、切り込み１０２側に傾斜して、挟持部１０３が、仕切板２０を挟持するようにすることができ、仕切板２０を切り込み１０２に配置するだけで、容易に仕切板２０を固定することができる。
【００６８】
また、開口部１０１７が設けられていることにより、支持板１０１の下辺近傍の高さ方向の厚さが、切り込み１０２の底部１０１３の部分だけではなく、その左右に隣接する部分においても薄くなっている。このため、切り込み１０２に、仕切板２０を挿入した場合に、仕切板２０で上から押されることにより、底部１０１３の部分だけではなく、この底部１０１３に隣接している厚さが薄い開口部１０１７の下部となる部分全体が、下方向にたわむこととなる。これにより、支持板１０１の底部１０１３近傍を、押し曲げやすくすることができる。また、上記実施の形態の仕切板用脚１０のように、切り込み１０２の底部１０１３の高さ方向の厚さが薄い部分だけに、集中的に下方向の力が集中しないようにして、切り込み１０２の底部１０１３の近傍の破損を抑えることができる。
【００６９】
また、本実施の形態において、２以上の仕切板用脚１０により支持されている仕切板２０は、仕切板用脚１０（支持板１０１）に対して垂直方向に容易に平行移動させることが可能である。また、２つの仕切板用脚１０を配置する間隔を変えることにより、２つの仕切板用脚１０は、あらゆるサイズの仕切板２０を支持できる。
【００７０】
（実施の形態２）
図７は、本実施の形態における仕切板用脚の斜視図である。
【００７１】
図８は、仕切板用脚の平面図（図８（ａ））、正面図（図８（ｂ））、右側面図（図８（ｃ））、および下面図（図８（ｄ））である。なお、背面図は、正面図と同様であるため、ここでは図示を省略する。また、左側面図は、右側面図と同様であるため、ここでは図示を省略する。
【００７２】
図９は、仕切板用脚の、当接部材、および吸盤を取り外した状態の平面図（図９（ａ））、正面図（図９（ｂ））、右側面図（図９（ｃ））、および下面図（図９（ｄ））である。なお、背面図は、正面図と同様であるため、ここでは図示を省略する。また、左側面図は、右側面図と同様であるため、ここでは図示を省略する。
【００７３】
図１０は、支持板が有する切り込みの、底辺側の端部近傍の拡大図（図１０（ａ））、および仕切板用脚の当接部材の斜視図（図１０（ｂ））である。なお、図１０（ａ）においては、説明の便宜上、安定部材の図示を省略している。また、図１０（ｂ）は、支持板３０１に当接部材を取り付ける前の、当接面とは逆側からみた斜視図を示している。
【００７４】
図１１（ａ）−図１１（ｃ）は、仕切板用脚３０を有するパーティション２の組み立てかたを説明するための模式図であり、仕切板用脚３０の近傍を正面からみた模式図を示している。
【００７５】
図１２は、仕切板用脚３０を有する本実施の形態のパーティション２の一例を示す斜視図である。
【００７６】
パーティション２は、２以上の仕切板用脚３０、および仕切板４０を備える。本実施の形態においては、２つの仕切板用脚３０で、仕切板４０を支持する場合を例に挙げて説明するが、仕切板用脚３０の数は、３以上の数であってもよい。仕切板用脚３０の数は、例えば、仕切板４０のサイズ等に応じて変更してもよい。
【００７７】
仕切板用脚３０は、支持板３０１、切り込み３０２、挟持部３０３、吸盤３０４、安定部材３０５を備える。
【００７８】
支持板３０１は、仕切板４０を支持するための板状の部材である。具体的には、支持板３０１は、仕切板４０を立てた状態で、すなわち、仕切板４０の表面および裏面が、パーティション１の設置面に対して垂直となる状態で支持する。支持板３０１の平面形状は、等脚台形の下底を下方向に平行に延長させたような、略等脚台形形状となっている。ここでは、支持板３０１の略等脚台形形状の上底に相当する部分を、支持板３０１の上辺３０１１と呼び、支持板３０１の略等脚台形形状の下底に相当する部分を、支持板３０１の底辺３０１２と呼ぶ。なお、支持板３０１の表面または裏面のいずれか一方を、ここでは、支持板３０１の正面とし、他方を裏面とする。支持板３０１の上辺３０１１および底辺３０１２は、いずれも直線状であってもよく、直線状でなくてもよく、例えば、湾曲していてもよい。
【００７９】
ここでは、支持板３０１の厚さが３ｍｍ、支持板３０１の底辺３０１２の長さが１７０ｍｍ、支持板３０１の高さが７４．９８ｍｍである場合を例に挙げて説明する。
【００８０】
支持板３０１の材質としては、ポリプロピレンが用いられる。ただし、支持板３０１の材質は、ポリプロピレンに限定されるものではない。
【００８１】
なお、ここでは、支持板３０１により支持される仕切板４０として、厚さ２ｍｍ、幅４００ｍｍ、高さ５００ｍｍの矩形の板を用いる場合を例に挙げて説明する。
【００８２】
支持板３０１には、仕切板４０（例えば、仕切板４０の下辺側）が挿入される切り込み３０２が設けられている。切り込み３０２は、支持板３０１の上辺３０１１から底辺３０１２に向かって延びている。ここでは、支持板３０１の上辺３０１１および底辺３０１２が平行であるため、切り込み３０２は、上辺から、上辺に垂直となるよう、底辺３０１２方向に延びている。切り込み３０２は、上辺において開口している。切り込み３０２は、ここでは、支持板３０１の左右方向の中心を通るように設けられている。ただし、切り込み３０２は、中心を通らなくてもよい。切り込み３０２は、例えば、支持板３０１の底辺３０１２の近傍まで延びている。また、ここでは、切り込み３０２は左右対象な形状であるが、左右対称でなくてもよい。なお、ここでは、支持板３０１を正面からみた場合の、上下方向に対して垂直な方向を、支持板３０１の左右方向とする。
【００８３】
支持板３０１は、通常、切り込みの伸びる方向が鉛直方向となるように配置される。支持板３０１は、例えば、正面および裏面が垂直となるように、パーティション２を配置する配置面等に配置される。なお、支持板３０１を、正面が配置面に対して垂直となるよう配置した場合、支持板３０１の切り込み３０２の下方に位置する部分は、切り込み３０２の底に相当する部分と考えられることから、支持板３０１の、切り込み３０２と底辺３０１２との間、具体的には、切り込み３０２の底辺３０１２側の端部３０２１と、底辺３０１２との間の部分を、ここでは、切り込み３０２の底部３０１３と呼ぶ。
【００８４】
切り込み３０２の幅は、仕切板４０の厚さよりも広くなっている。切り込み３０２の幅は、切り込み３０２の左右方向の長さである。切り込み３０２の幅は、均一な幅であってもよく、不均一な幅であってもよい。ここでは、切り込み３０２の底辺側の部分の幅は、６ｍｍとなっている。ただし、切り込み３０２の底辺３０１２側の端部３０２１は、ここでは、後述するように略Ｖ字形状を有しているため、底辺３０１２に向かうにつれて、幅が６ｍｍよりも順次小さくなっている。なお、この幅は一例であり、切り込み３０２の底辺側の部分の幅は、支持板３０１が支持する仕切板４０のサイズ等に応じて適宜変更可能であり、切り込み３０２の底辺側の部分の幅は、上記の幅に限定されるものではない。
【００８５】
切り込み３０２の底部３０１３は、切り込み３０２に挿入される仕切板４０で上方向から押されることで、下方向に凸となるよう押し曲げ可能な形状を有している。切り込み３０２に挿入される仕切板４０で上方向から押される、ということは、例えば、切り込み３０２に挿入される仕切板４０の重さによって、切り込み３０２の端部３０２１（例えば、端部３０２１の仕切板４０と当接する部分）が底辺方向に向かって押されることである。ここでは、底部３０１３の厚さも、底部３０１３の形状の一要素と考えてよく、押し曲げ可能な形状とは、例えば、底部３０１３の高さ方向の厚さを、押し曲げ可能な厚さをとすることも含む概念である。押し曲げる、とは、例えば、押している間だけ曲がり、押していないときや、押すのをやめた場合、元の状態に戻ることと考えてよい。下方向に凸となるよう押し曲げられる、ということは、例えば、仕切板４０で押されることで、支持板３０１の弾性等によって、底部３０１３の近傍部分が下方向に凸となるようしなることや、たわむことである。押し曲げ可能ということは、切り込み３０２の底部３０１３が、仕切板４０で押されることで、折れたり折れ曲がったりしないことと考えてもよい。ここでの押し曲げ可能な形状とは、例えば、支持板３０１の材質と、形状との組み合わせで押し曲げ可能となることも含む概念である。
【００８６】
切り込み３０２の底辺３０１２側の端部３０２１は、図１０（ａ）に示すように、上辺３０１１に向かって開いた略Ｖ字形状を有している。具体的には、切り込み３０２の両側の縁は、それぞれ、支持板３０１の上下方向の中心近傍から、端部３０２１の最も底辺側となる部分に対して２ｍｍ上方となる位置までは、直線状に平行に延びており、端部３０２１の最も底辺側となる部分に対して２ｍｍ上方となる位置から端部３０２１の最も底辺３０１２側となる部分までは、４５度の角度で内側に折れ曲がって延び、端部３０２１の最も底辺３０１２側となる部分は、支持板３０１の底辺３０１２に平行な幅２ｍｍの辺となっている。これにより、図１０（ａ）において一点鎖線で囲んだ部分である底部３０１３の左右方向の中心部分の高さ方向の厚さが最も薄くなっており、この部分の厚さが１ｍｍとなっている。なお、ここでは、支持板３０１の高さ方向に対して垂直となる２つの面の間の長さを、高さ方向の厚さと呼ぶ。このように、切り込み３０２の最も底辺３０１２に近い部分と、底辺３０１２との間の距離、つまり、切り込み３０２の底部３０１３の最も、高さ方向の厚さの薄い部分の厚さは、上記のように１ｍｍとなっている。
【００８７】
なお、ここでは、切り込み３０２の底辺３０１２側の端部３０２１が、略Ｖ字形状を有している場合について説明したが、切り込み３０２の底辺３０１２側の端部３０２１は、底辺３０１２に向かって先細りとなる形状を有していれば、上記以外の形状であってもよい。なお、この端部３０２１の形状は、左右対称な形状であることが好ましい。また、この端部３０２１は、先細りとなる形状であれば、連続的に先細りとなっている形状であっても段階的に先細りとなっている形状であってもよい。また、この端部３０２１における切り込み３０２の両側の縁から、切り込み３０２の中心線までの距離は、底辺３０１２に向かうに従って線形的に減少していてもよく、非線形的に減少していてもよい。
【００８８】
また、ここでは、切り込み３０２の底部３０１３の最も高さ方向の厚さの薄い部分の厚さは、１ｍｍとした場合について説明する。なお、この切り込み３０２の底部３０１３は、上述したように、切り込みに挿入される仕切板４０で上方向から押されることで、下方向に凸となるよう押し曲げ可能な形状を有していれば、その形状（例えば、高さ方向の厚さ等）は、上記の形状等に限定されるものではない。なお、ここでの形状は、例えば、厚さ等のサイズも含む概念である。例えば、切り込み３０２の幅を６ｍｍよりも広くし、底部３０１３の高さ方向の厚さを１ｍｍよりも厚くするようにしてもよい。
【００８９】
支持板３０１の上辺３０１１近傍部分（具体的には支持板３０１の後述する挟持部３０３が設けられている部分）の下側から、支持板３０１の高さ方向の中心に近い位置までの領域には、切り込み３０２の左右に、切り込み３０２側の部分全体が切り込み３０２とつながっている開口部３０１５が設けられている。この開口部３０１５によって、切り込み３０２の上辺近傍の下側から、支持板３０１の高さ方向の中心に近い位置まで間の幅が、実質的に、切り込み３０２の他の部分の幅よりも広くなっている。この開口部３０１５は、切り込み３０２の幅が広がっている部分と考えてもよい。これにより、支持板３０１の軽量化が図れるとともに、後述するように、挟持部３０３に当接部材３０３１を取り付けやすくなっている。なお、この開口部３０１５は、不要であれば省略してもよい。
【００９０】
支持板３０１の底辺３０１２には、支持板３０１の両面、すなわち支持板３０１の正面側および裏面側に対して、それぞれ、垂直となる方向に延びる板状の安定部材３０５が設けられている。安定部材３０５は、ここでは厚さ３ｍｍの板状の部材であり、支持板３０１と一体成形されている。ここでは、安定部材３０５の、支持板３０１の正面および裏面に垂直な方向の長さは、支持板３０１の左右の端に近い部分が、内側の部分（すなわち、切り込み３０２側の部分）よりも長くなっている。ここでは、安定部材３０５の、支持板３０１の正面および裏面からの、これらの面に対して垂直な方向の長さは、支持板３０１の左右の端に近い部分の最大値が１８．５ｍｍ、内側の部分（すなわち、切り込み３０２側の部分）の最大値が８．５ｍｍとなっている。ただし、この安定部材３０５のサイズや形状等は一例であり、安定部材３０５のサイズや形状等はこれらに限定されるものではない。安定部材３０５は、例えば、支持板３０１を、切り込み３０２の延びる方向が鉛直方向となるよう配置する際に、支持板３０１が容易に正面方向、または裏面方向に倒れないように補助する役割を果たす。なお、安定部材３０５の厚さは、３ｍｍ以外であってもよい。また、安定部材３０５は、支持板３０１と一体成形されていなくてもよい。
【００９１】
安定部材３０５の上面には、支持板３０１の切り込み３０２の底辺３０１２側の端部３０２１から、支持板３０１の正面および裏面に垂直に延びており、この伸びる方向に対して垂直な断面形状が、切り込み３０２の底辺３０１２側の端部３０２１の正面形状と同じである溝３０５１が設けられている。ここでは、断面形状が、端部３０２１の正面形状と同じＶ字形状である溝３０５１が設けられている。この安定部材３０５の、溝３０５１が設けられている部分の最も厚さの薄い部分の厚さは、１ｍｍである。切り込み３０２に仕切板４０を挿入した場合、溝３０５１の中にもこの仕切板４０が配置される。
【００９２】
なお、安定部材３０５の形状、（例えば、溝３０５１の部分の厚さや、溝以外の部分の厚さや、支持板３０１の正面および裏面方向の長さ等）は、切り込み３０２に挿入される仕切板４０で上方向から押されることで、切り込み３０２の底部３０１３が下方向に凸となるよう押し曲げ可能な形状を有していれば、上記の形状に限定されるものではない。ここでの形状は、例えば、厚さも含む概念である。
【００９３】
仕切板用脚３０の、支持板３０１の底辺３０１２の、切り込み３０２に対して外側（すなわち左端側および右端側）となる位置には、それぞれ吸盤３０４が一つずつ設けられている。吸盤３０４の吸着面の直径は３０ｍｍである。ただし、吸盤３０４の吸着面の直径等はこのサイズに限定されるものではない。
【００９４】
ここで用いる吸盤３０４は、吸着面とは反対側に軸を有しているとともに、この軸の円周に沿って安定部材３０５よりも幅が狭い溝が設けられている。支持板３０１の底辺３０１２および安定部材３０５の、吸盤３０４を取り付ける位置の左側には、吸盤３０４の軸が通過可能な第一の貫通孔３０５２が設けられており、凹部３０１４に隣接する部分であって、この第一の貫通孔３０５２の右側の、第一の貫通孔３０５２と一部が重なる位置に、吸盤３０４の軸に設けられた溝の部分の直径と略同一サイズの幅を有する第二の貫通孔３０５３とが設けられている。第二の貫通孔３０５３の位置を、例えば、吸盤３０４の取り付け位置と考えてよい。また、この第二の貫通孔３０５３の縁は、吸盤３０４の溝にはめ込み可能となるよう、吸盤３０４の軸の溝の幅とほぼ同じ厚さとなっている。また、支持板３０１の底辺３０１２側の、第一の貫通孔３０５２と第二の貫通孔３０５３との上方には、吸盤３０４の軸の先端側を収容可能な凹部３０１４が設けられている。そして、吸盤３０４の軸を第一の貫通孔３０５２に通した後、吸盤３０４の軸が第二の貫通孔３０５３にはめ込まれるよう、吸盤３０４の軸の溝が第二の貫通孔３０５３の縁にはめ込みながら、吸盤３０４を第二の貫通孔３０５３側にスライドさせることで、吸盤３０４が、支持板３０１の底辺および安定部材３０５の、切り込み３０２を挟んで両側となる位置、言い換えれば、切り込み３０７に対して外側となる位置に着脱可能に取り付けられる。
【００９５】
なお、上記の各吸盤３０４の取り付けかたは一例であり、吸盤３０４の取り付けかたは上記に取り付けかたに限定されるものではない。また、各吸盤３０４は、仕切板用脚３０の上記のような位置に取り付けられていれば、直接、支持板３０１等に取り付けられていてもよく、直接、支持板３０１等に取り付けられていなくてもよい。
【００９６】
また、仕切板用脚３０を、パーティション２を配置する配置面等に吸着させて固定可能であれば、吸盤を取り付ける位置は上記に限定されるものではない。また、吸盤３０４の数も２つに限定されるものではなく、例えば、３以上の吸盤３０４が取り付けられていてもよい。
【００９７】
なお、仕切板用脚３０を、吸盤３０４を用いて、仕切板用脚３０を配置する面等に吸着させて固定させない場合、仕切板用脚３０の吸盤３０４は省略してもよい。
【００９８】
仕切板用脚３０の、少なくとも、切り込み３０２の底部３０１３およびその近傍は、仕切板４０が切り込み３０２に挿入される前の状態において、支持板３０１が配置される配置面から離れているようになっている。例えば、支持板３０１の底辺の、切り込み３０２の底部３０１３の近傍、および安定部材３０５の下面の、切込み３０２の底部３０１３の正面側の部分と、裏面側の部分と、その周辺は、仕切板４０が切り込み３０２に挿入される前の状態において、支持板３０１が配置される配置面に接していないようになっている。この仕切板用脚３０においては、一例として、安定部材３０５の下面の、左右方向における外側寄りの部分、すなわち、支持板３０１の左端寄りの部分および右端寄りの部分の、支持板３０１に対して正面側および裏面側となる位置に、それぞれ、直径が６ｍｍの半球状の突起３０５４が設けられており、吸盤３０４が仕切板用脚３０の配置面に吸着されるよう配置した状態で、この突起３０５４が配置面に接触するようになっている。これにより、吸盤３０４を吸着させた状態であって、仕切板４０を切り込み３０２に挿入していない状態で、仕切板用脚３０の、少なくとも、切り込み３０２の底部３０１３およびその近傍、具体的には、支持板３０１の底辺の、切り込み３０２の底部３０１３の部分とその近傍、および安定部材３０５の下面の、切り込み３０２の底部３０１３の正面側の部分と、裏面側の部分と、その周辺が、支持板３０１が配置される配置面と接しておらず、この配置面から離れた状態となっている。なお、ここでは、吸盤３０４として、例えば、吸盤３０４を配置面に吸着させた状態で、上記の突起３０５４も配置面に接するようなサイズおよび形状を有するものが用いられるものとする。なお、突起３０５４および吸盤３０４の左右方向の位置は、切り込み３０２の左右方向の中心から６３ｍｍの位置としている。ただし、中心からの距離は、この位置に限定されるものではない。また、ここでは、各突起３０５４の、支持板３０１からの距離を、１５．５ｍｍとしている。ただし、この支持板３０１からの距離は、この長さに限定されるものではなく、例えば、各突起３０５４が吸盤３０４と重ならないような距離であればよい。
【００９９】
なお、仕切板４０が切り込み３０２に挿入される前の状態における、切り込み３０２の底部３０１３およびその近傍と、支持板３０１が配置される配置面との距離は、ここでは、３ｍｍであるが、この距離の値は一例であり、この距離は、仕切板４０が切り込み３０２に挿入されたことによって、切り込み３０２の底部３０１３が押し曲げられて、後述する挟持部３０３によって、仕切板４０が挟持可能となるような距離であれば、上記の距離に限定されるものではない。また、この距離は、吸盤３０４を配置面に吸着させることが可能な距離であることが好ましい。例えば、この距離は、３ｍｍ以上、５ｍｍ以下の範囲の距離であることが好ましい。例えば、上記の突起３０５４の直径を６ｍｍ以上、１０ｍｍ以下としてもよい。すなわち、この距離は、仕切板４０の挟持に必要な距離だけ、切り込み３０２の底部３０１３が下方に移動可能となる距離であればよい。また、突起３０５４および吸盤３０４の左右方向の位置についても、同様に、切り込み３０２の底部３０１３が下方に移動可能となるような位置であれば、上記の位置に限定されるものではない。
【０１００】
また、ここでは、突起３０５４により、切り込み３０２の底部３０１３およびその近傍と、支持板３０１が配置される配置面とが、所望の距離（例えば、仕切板４０で底部３０１３が押し下げ可能となる距離）以上離れているようにしたが、どのように、切り込み３０２の底部３０１３およびその近傍と、支持板３０１が配置される配置面とが所望の距離以上離れているようにしてもよい。例えば、突起３０５４の代わりに、突起３０５４が設けられている部分の安定部材３０５の高さ方向の厚さを、部分的に厚くするようにしてもよい。また、例えば、上述したような吸盤３０４の吸着時の高さによって、切り込み３０２の底部３０１３およびその近傍と、支持板３０１が配置される配置面とが所望の距離以上離れているようにしてもよい。
【０１０１】
支持板３０１は、切り込み３０１の延びる方向が鉛直方向となるよう配置される。例えば、支持板３０１は、支持板３０１の正面および背面が、パーティション２の配置面に対して垂直となるよう配置される。
【０１０２】
切り込み３０２の上辺近傍、すなわち、支持板３０１の上辺近傍の左右の、切り込み３０２の縁となる部分には、支持板３０１に対して垂直となるよう切り込み３０２に挿入された仕切板４０を表面および裏面の両面から挟持する挟持部３０３が設けられている。支持板３０１と仕切板４０とが垂直になる、ということは、例えば、これらの表面が垂直になることである。挟持部３０３は、切り込み３０２の延びる方向が鉛直方向となるよう配置した支持板３０１の切り込み３０２に挿入された仕切板４０により、切り込み３０２の底部３０１３が上から下方向に押されて押し曲げられた状態で、仕切板４０を両面から挟持するようになっている。例えば、この挟持部３０３は、支持板３０１の切り込み３０２に挿入された仕切板４０で切り込み３０２の底部３０１３が上から下方向に押されて押し曲げられて、支持板３０１の切り込み３０２に対して外側となる部分が切り込み３０２側に傾くことで、仕切板４０を両面から挟持するようになっている。具体的には、この挟持部３０３は、正面および背面が設置面に対して垂直となるよう配置した支持板３０１の切り込み３０２に挿入された仕切板４０で切り込み３０２の底部３０１３が上から下方向に押されて押し曲げられて、支持板３０１の底辺３０１２の切り込み３０２の底部３０１３に対して外側となる部分が、底部３０１３側が低くなるよう傾斜し、支持板３０１の切り込み３０２に対して外側の部分が、それぞれ、切り込み３０２側に倒れるよう傾くことで、挟持部３０３の、切り込み３０の両側に位置する部分同士が近づいて、仕切板４０を両面から挟持するようになっている。なお、底部３０１３に対して外側となる部分とは、例えば、底部３０１３に対して、支持板３０１の右側および左側となる部分であり、切り込み３０２に対して外側となる部分とは、例えば、切り込み３０２に対して、支持板３０１の右側および左側となる部分である。かかることは、支持板３０１の他の切り込み３０２等以外の特定の部分に対する外側に関しても同様である。
【０１０３】
挟持部３０３は、切り込み３０２に仕切板４０が挿入され、仕切板４０で切り込み３０２の底部３０１３が押されるまでは、切り込み３０２の底部３０１３が下に押し下げられないため、仕切板４０を挟まない。
【０１０４】
切り込み３０２の挟持部３０３の部分の幅が、切り込み３０２の、底辺３０１２側の端部３０２１を除いた部分において、最も幅が狭い部分となっている。切り込み３０２の挟持部３０３の部分の幅とは、挟持部３０３の仕切板４０を挟む部分の、仕切板４０を挟む前の幅と考えてもよい。挟持部３０３の仕切板４０を挟む部分の幅は、後述する仕切板４０の当接部材３０３１間や、当接部材３０３１の当接面３０３４間の距離と考えてもよい。例えば、切り込み３０２の挟持部３０３の部分の幅が、切り込み３０２の他の部分の最も狭い部分と同じ幅となっていてもよい。また、例えば、切り込み３０２の挟持部３０３の部分の幅が、切り込み３０２の他の部分よりも狭い幅となっていてもよい。ただし、仕切板４０により、切り込み３０２の底部３０１３が上から下方向に押されて押し曲げられた場合に、挟持部３０３が仕切板４０を挟持可能であれば、切り込み３０２の挟持部３０３の部分の幅は、上記の幅に限定されるものではない。
【０１０５】
挟持部３０３の、仕切板４０が挿入される部分の、仕切板４０を挟まない状態での間隔は、例えば、切り込み３０２の、底辺３０１２側の端部３０２１を除いた部分の最も狭い幅以下の間隔であって、仕切板４０の厚さよりも広い間隔である。ここでは、一例として、この間隔が、底辺３０１２側の端部３０２１を除いた部分の最も狭い幅と同じ長さ（すなわち、６ｍｍ）である場合を例に挙げて説明する。なお、ここでは、挟持部３０３の、仕切板４０が挿入される部分を、切り込み３０２の一部と考えるが、切り込み３０２の一部と考えなくてもよい。
【０１０６】
挟持部３０３の仕切板４０と接する部分には、当接部材３０３１が設けられている。当接部材は、仕切板４０に当接される部材であって、材質が弾性体の部材である。当接部材として用いられる弾性体は、例えば、ウレタンや、シリコンゴム、天然ゴム等である。当接部材３０３１は、挟持部３０３の切り込み３０２の両側となる部分に設けられている。ここでは、一例として、挟持部３０３の、切り込み３０２の両側に位置する部分に、切り込み３０２側に突き出た小さな板状の突起である差し込み部３０３２が設けられており、この差し込み部３０３２が、図１０（ｂ）に示すような、当接部材３０３１に設けられた凹部３０３３にはめ込まれることで、当接部材３０３１が挟持部３０３の一部として取り付けられている。
【０１０７】
なお、ここでは、挟持部３０３の設けられている部分の下に、切り込みとつながった開口部３０１５が設けられていることで、当接部材３０３１が挟持部３０３にはめ込みやすくなっている。
【０１０８】
当接部材３０３１は、仕切板４０の表面および裏面とそれぞれ当接される当接面３０３４を有している。当接面３０３４は、仕切板４０を挟持していない状態で、支持板３０１の高さ方向および支持板３０１の厚さ方向に、それぞれ平行となっている。上記の凹部３０３３は、当接面３０３４に対して垂直な方向に延びるよう設けられている。ここでは、当接面３０３４の平面形状が矩形である場合を例に挙げて説明するが、その形状は、矩形に限定されるものではなく、円形等であってもよい。ここでは、当接面３０３４の表面が平坦である場合について説明するが、当接面３０３４の表面形状が滑り止め形状であってもよい。滑り止め形状は、例えば、格子状の溝や細かい凹凸等が設けられた形状である。当接面３０３４は、支持板３０１の厚さ方向の長さが、支持板３０１の厚さよりも長くなっている。ここでは、当接部材３０３１の切り込み３０２側が、切り込み３０２に近づくに連れて、支持板３０１の厚さ方向に広がっている。例えば、当接面３０３４の、支持板３０１の厚さ方向の長さは、ここでは、１２ｍｍとなっている。ただし、当接面３０３４の、支持板３０１の厚さ方向の長さは、この長さに限定されるものではない。また、当接面３０３４の、支持板３０１の高さ方向の長さは、当接部材３０３１の、当接面３０３４とは反対側の部分の高さ方向の長さよりも長くてもよい。
【０１０９】
ここでは、切り込み３０２の両側に設けられた当接部材３０３１の当接面３０３４間の、間隔が、上述した挟持部３０３の、仕切板４０が挿入される部分の、仕切板４０を挟まない状態での間隔に相当する。また、ここでは、当接面３０３４の間の部分を、切り込み３０２の一部と考えるが、切り込み３０２の一部と考えなくてもよい。
【０１１０】
なお、挟持部３０３は、切り込み３０２の上辺近傍の、切り込み３０２の両側となる部分に設けられたており、切り込み３０２に挿入された仕切板４０で切り込み３０２の底部３０１３が上方向から押されて押し曲げられて、支持板３０１の切り込み３０に対して外側となる部分がそれぞれ切り込み３０２側に傾くことで、仕切板４０を両面から挟持するものであれば、上記のようなものに限定されるものではない。また、底部３０１３が上方向から押されて押し曲げられるということは、底部３０１３およびその近傍が押し曲げられることであってもよい。
【０１１１】
また、上記においては、当接部材３０３１が、挟持部３０３にはめ込まれている場合について説明したが、当接部材３０３１の、挟持部３０３への取り付けかたは、上記に限定されるものではなく、例えば、挟持部３０３の切り込み３０３側に接着剤等で、シート状や小型のブロック状の当接部材等を接着してもよく、ネジ止めしてもよい。また、当接部材３０３１は、支持板３０１の挟持部３０３の、切り込み３０２の両側となる部分を直接、仕切板４０に当接させる場合、省略してもよい。
【０１１２】
支持板３０１の左右には、支持板３０１の軽量化を図るための、平面形状が略台形形状である開口部３０１６が一つずつ設けられている。この開口部３０１６は、支持板３０１を持ちやすくするための持ち手としても利用可能である。開口部３０１６の形状やサイズ、位置、および数は、支持板３０１の強度を保つことができれば、上記の例に限定されるものではない。なお、開口部３０１６は、軽量化が必要ない場合や、支持板３０１の強度が必要な場合、省略してもよい。
【０１１３】
以下、仕切板用脚３０を有するパーティション２の組み立てかたについて説明する。ここでは、２つの仕切板用脚３０を有するパーティション２であって、仕切板４０として、上述したようなサイズの透明なアクリル製の矩形の板を用いる場合を例に挙げて説明する。また、ここでは、仕切板用脚３０が配置される配置面は、例えば、机の天板等である。
【０１１４】
まず、図１１（ａ）に示すように、２つの仕切板用脚３０を、それぞれの支持板３０１の正面が配置面５００に対して、垂直となるように配置し、各吸盤３０４を配置面５００に吸着させる。このとき、２つの仕切板用脚３０を、切り込み３０２同士が向かい合うよう配置する。切り込み３０２同士が向かい合うよう配置するということは、正面同士や、正面と裏面とが向かい合うよう仕切板用脚３０を配置することと考えてもよい。具体的には、２つの仕切板用脚３０を、正面が平行となるとともに、正面からみて、２つの仕切板用脚３０が重なる位置に配置する。また、２つの仕切板用脚３０の間隔は、仕切板４０の幅よりも短い幅となるようにする。ここでは、仕切板４０の左右の両端から、３００ｍｍから１５０ｍｍの間の位置に、それぞれ仕切用脚を配置する。吸盤３０４を吸着させることで、各仕切板用脚３０の位置が固定されるとともに、安定部材３０５の突起３０５４が配置面５００に接するようになる。また、支持板３０１の底辺３０１２の、切り込み３０２の底部３０１３の下方に位置する部分、および安定部材３０５の底面の、切り込み３０２の底部３０１３の正面側および裏面側に位置する部分は、配置面５００から突起３０５４の高さ分だけ、すなわち約３ｍｍだけ離れた状態となっている。
【０１１５】
次に、図１１（ｂ）に示すように、２つの仕切板用脚３０の、それぞれの切り込み３０２に、仕切板４０を、仕切板４０の表面が、支持板３０１の正面に対して垂直となるよう、上から挿入していく。
【０１１６】
そして、図１１（ｃ）に示すように、仕切板４０の下端が、切り込み３０２の底辺３０１２側の端部３０２１、および安定部材３０５の溝３０５１の中に当たると、仕切板４０の重さで、仕切板４０の底部３０１３および安定部材３０５の溝３０５１の下部が上から下方向に押されて下方向に下がり、これにより、支持板３０１の底辺３０１２の、底部３０１３の左右の部分が、底部３０１３側が下がるように傾斜し、支持板３０１の切り込み３０２の左右の部分が、切り込み３０２側に倒れるよう傾き、切り込み３０２の上辺近傍の両側に設けられた挟持部３０３の当接部材３０３１が、切り込み３０２側に向かって移動し、当接部材３０３１が、仕切板４０に当接され、挟持部３０３が仕切板４０を挟持する。当接部材３０３１が弾性体であるため、当接面３０３４全体が、配置面５００の表面および裏面に当接され、摩擦により仕切板４０が滑り落ちることを防ぐことができる。
【０１１７】
また、切り込み３０２の底辺３０１２側の端部３０２１は、略Ｖ字形状となっているため、切り込み３０２に挿入された仕切板４０の下端が、この略Ｖ字形状の底辺３０１２に向かって先細りとなっている傾斜面に挟まれた部分に移動することで、左右方向の移動が制限され、切り込み３０２の左右方向のほぼ中心となる位置に位置決めして配置することができ、仕切板４０を配置面に対してほぼ垂直に立てることができるとともに、仕切板４０の下端が左右に移動することを防いで、仕切板４０のぐらつきを防ぐことができる。
【０１１８】
図１２は、このようにして組み立てられた仕切板用脚３０を有する本実施の形態のパーティションの一例を示す斜視図である。
【０１１９】
このようにして組み立てたパーティション２は、例えば、図１２のようになる。このパーティション２においては、仕切板４０が、切り込み３０２同士が向かい合うよう配置された２つの仕切板用脚３０のそれぞれの切り込み３０２に挿入されて挟持部３０３により挟持されている。
【０１２０】
なお、ここでは、パーティション２が有する仕切板用脚３０の数が２つである場合について説明したが、上述したように、パーティション２が有する仕切板用脚３０の数は、２以上であれば、２つに限定されない。２以上の仕切板用脚３０を用いる場合、例えば、上記の説明において、２つの仕切板用脚３０についての説明を、適宜、２以上の仕切板用脚３０に読み替えるようにすればよい。
【０１２１】
以上、本実施の形態によれば、切り込み３０２を設けるとともに、切り込み３０２の上辺３０１１近傍に挟持部３０３を備えるようにしたことにより、切り込み３０２に配置された仕切板４０により、切り込み４０の底部３０１３が上方から押されて下方に押し曲げられ、支持板３０１の底部３０１３の両側の底辺３０１２が、底部３０１３側が下がるよう傾斜して、支持板３０１の切り込み３０２の左右の部分が、切り込み３０２側に傾斜して、挟持部３０３が、仕切板４０を挟持するようにすることができ、仕切板４０を切り込み３０２に配置するだけで、容易に仕切板４０を固定することができる。
【０１２２】
なお、上記で説明したパーティション１およびパーティション２に用いられる仕切板２０および仕切板４０は一例であり、仕切板２０および仕切板４０は上記の仕切板２０および仕切板４０に限定されるものではない。例えば、仕切板２０および仕切板４０の厚さや、表面の大きさ、材質等は、これらに限定されるものではない。例えば、仕切板２０および仕切板４０として、幅８００ｍｍ、高さ５００ｍｍの仕切板が利用可能である。また、これよりも、表面のサイズが、これよりも大きな仕切板であっても、これよりも小さな仕切板であっても利用可能である。また、例えば、仕切板２０または仕切板４０の厚さは、切り込み１０２または切り込み３０２に対して挿入可能な厚さであればよい。ただし、仕切板２０および仕切板４０の厚さは、例えば、３ｍｍ以上、５ｍｍ以下の厚さであることが好ましい。なお、仕切板２０および仕切板４０の厚さは、仕切板２０または仕切板４０を複数の仕切板用脚１０または複数の仕切板用脚３０に挿入した状態で、配置面に対して表面が垂直となるよう自立可能な厚さとすることがパーティション１およびパーティション２として用いるうえで好ましい。また、仕切板２０および仕切板４０の色や、透明度、材質等は問わない。例えば、仕切板２０および仕切板４０は、金属板や、ガラス板、パンチングボード等の金属性の板状の部材であってもよい。また、仕切板２０および仕切板４０は、ポリカーボネート等の、アクリル以外の樹脂製の板状の部材であってもよい。また、仕切板２０および仕切板４０は中空の板であってもよい。また、仕切板２０および仕切板４０の平面形状は、矩形以外であってもよい。
【０１２３】
（第一の変形例）
図１３は、上記実施の形態の仕切板用脚の第一の変形例を示す斜視図（図１３（ａ））、および正面図（図１３（ｂ））である。
【０１２４】
この第一の変形例の仕切板用脚３０ａは、上記実施の形態の仕切板用脚３０において、支持板３０１の下部の、切り込み３０２の左右となる領域であって、切り込み３０２の端部３０２１近傍を除いた領域に、それぞれ、切り込み３０２につながった開口部３０１７を設けたものである。さらに、この第一の変形例の仕切板用脚３０ａは、切り込み３０２の端部３０２１の最も底辺３０１２側の部分と底辺３０１２との距離（すなわち、切り込み３０２の底部３０１３の最も高さ方向の厚さが薄い部分の厚さ）を上記の仕切板用脚３０よりも長い距離である３ｍｍとし、安定部材３０５には、溝３０５１を設けないようにしたものである。なお、ここでは、切り込み３０２の端部３０２１近傍を除いた部分における開口部３０１７の下辺と、支持板３０１の底辺３０１２との高さ方向の厚さは、３ｍｍとしている。なお、この厚さの好ましい範囲は、２ｍｍ以上、４ｍｍ以下であり、上記の３ｍｍが最も好ましい厚さである。なお、厚さが３ｍｍ以下である場合、必要に応じて、安定部材３０５に、上記の実施の形態と同様に、溝３０５１と同様の溝を設けるようにしてもよい。
【０１２５】
開口部３０１７は、切り込み３０２の端部３０２１近傍よりも外側の領域を含む領域である。開口部３０１７は、ここでは、一例として、端部３０２１近傍よりも外側の領域を除いた領域の、切り込み３０２側となる部分全体が、切り込み３０２とつながっている例を示しているが、切り込み３０２側となる部分全体が切り込み３０２とつながっていなくてもよい。これにより、切り込み３０２の下部の、端部３０２１の上方となる部分は、切り込み３０２の幅が実質的に広がっているようになっている。切り込み３０２の端部３０２１近傍とは、例えば、端部３０２１からの左右方向の距離が、予め決められた距離以下となる領域であって、高さが、端部３０２１の高さ（例えば、切り込み３０２のＶ字形状となっている部分や、先細りとなっている部分の高さ）と同じ高さの領域や、これよりも、予め決められた距離だけ高い領域である。
【０１２６】
この第一の変形例においては、開口部３０１７が設けられていることにより、支持板３０１の下辺近傍の高さ方向の厚さが、切り込み３０２の底部３０１３の部分だけではなく、その左右に隣接する部分においても薄くなっている。このため、切り込み３０２に、仕切板４０を挿入した場合に、仕切板４０で上から押されることにより、底部３０１３の部分だけではなく、この底部３０１３に隣接した高さ方向の厚さの薄い開口部３０１７の下部となる部分全体が、下方向にたわんで移動することとなる。このため、切り込み３０２の底部３０１３の高さ方向の厚さを厚くして底部３０１３の強度をあげつつ、支持板３０１の底辺の底部３０１３近傍を、押し曲げやすくすることができる。また、上記実施の形態の仕切板用脚３０のように、切り込み３０２の底部３０１３の高さ方向の厚さが薄い部分だけに、集中的に下方向の力が集中しないようにして、切り込み３０２の底部３０１３の部分の破損を抑えることができる。
【０１２７】
また、切り込み３０２の端部３０２１近傍は残されているため、上記と同様に仕切板４０の左右方向の位置を適切に制限することができる。
【０１２８】
（第二の変形例）
【０１２９】
図１４は、上記実施の形態の仕切板用脚の第二の変形例を示す斜視図（図１４（ａ））、および正面図（図１４（ｂ））である。
【０１３０】
この第二の変形例の仕切板用脚３０ｂは、上記実施の形態の仕切板用脚３０において、切り込み３０２の底部３０１３の高さ方向の厚さが均一な厚さとなるよう、切り込み３０２の端部３０２１のＶ字形状に合わせて、支持板３０１の底辺３０１２の、底部３０１３の下方となる部分の形状を、Ｖ字溝に沿った下方向に凸となる形状にしたものである。ここでの底部３０１３の高さ方向の厚さは、２ｍｍ以上、４ｍｍ以下であることが好ましく、３ｍｍであることが最も好ましい。ここでは、一例として厚さを３ｍｍに設定している。
【０１３１】
また、ここでは、安定部材３０５の、溝３０５１が設けられている部分の下面も、上記と同様に、安定部材３０５の厚さが均一な厚さとなるよう、下方向に凸となるような形状としている。この溝３０５１の部分の高さ方向の厚さは、上記の底部３０１３の高さ方向の厚さと同様の厚さに設定される。
【０１３２】
このように、底部３０１３の高さ方向の厚さを均等な厚さとすることにより、この底部３０１３の強度を高くして、底部３０１３が、切り込み３０２に挿入された仕切板２０で押し曲げられた場合に、底部３０１３が破損しにくくすることができる。
【０１３３】
なお、端部３０２１の正面からみた形状が、Ｖ字形状以外の上述したような先細りの形状である場合においても、この部分の厚さが均一な厚さとなるように、底辺３０１２の、端部３０２１の下方となる部分の形状を、先細りの形状に沿った下方向に凸となる形状とすることにより、上記と同様の効果を奏する。
【０１３４】
また、この変形例においても、仕切板２０を挿入していない状態で、端部３０２１の下部が、仕切板用脚３０の配置面に接しないようにする必要があり、例えば、突起３０５４の高さを、上記実施の形態よりも高く（例えば、底部３０１３の高さ方向の厚さが最も薄かった部分の厚さの増加分である２ｍｍだけ高く）しておく必要がある。ここでは、例えば、突起３０５４の高さを、５ｍｍとしている。
【０１３５】
なお、上記の第一及び第二の変形例において説明した切り込み３０２の底部３０１３近傍の構成を、上記実施の形態１の仕切板用脚１０に利用してもよく、この場合においても、上記各変形例と同様の効果を奏する。
【０１３６】
なお、上記各実施の形態において、支持板１０１および支持板３０１の厚さ、正面から見たサイズ、および正面形状等は、支持する仕切板２０および仕切板４０の大きさや、パーティション１またはパーティション２の配置場所等に応じて、適宜変更可能であり、上記に限定されるものではない。なお、支持板１０１の厚さは、例えば、仕切板２０が切り込み１０２に挿入された状態で、自立可能な厚さを有することが好ましい。また、支持板３０１の厚さは、例えば、仕切板４０が切り込み３０２に挿入された状態で、自立可能な厚さを有することが好ましい。
【０１３７】
なお、上記各実施の形態において、支持板１０１または支持板３０１等の材質は、仕切板２０または仕切板４０を、切り込み１０２または切り込み３０２に挿入した場合に、仕切板２０または仕切板４０の重さによって、底部１０１３または底部３０１３等が、折れたり、割れたりせずに、押している間だけ曲がるような材質であれば、上記のポリプロピレン以外の材質であってもよく、このような性質を有するポリプロピレン以外の樹脂であってもよい。また、支持板１０１または支持板３０１等の材質は、弾性を有する樹脂以外の金属等の材質であってもよい。また、支持板１０１または支持板３０１等は、複数の材質の部材を組み合わせたものであってもよく、例えば、支持板１０１または支持板３０１の底辺部分のみを、他の部分と異なる材質としてもよい。
【０１３８】
また、上記各実施の形態において、支持板１０１の切り込み１０２の下方を含む下辺側、または支持板３０１の切り込み３０２の下方を含む下辺側等に、補強用の金属板等を設けてもよい。この金属板は、どのように設けてもよく、例えば、支持板１０１または支持板３０１の下辺側に埋め込んでもよく、貼り付けてもよい。この場合、支持板１０１および支持板３０１の一体成型はできないが、強度を高めることができる。補強用の金属板等は、安定部材１０５や安定部材３０５に設けてもよい。
【０１３９】
本発明は、以上の実施の形態に限定されることなく、種々の変更が可能であり、それらも本発明の範囲内に包含されるものであることは言うまでもない。
【産業上の利用可能性】
【０１４０】
以上のように、本発明にかかる仕切板用脚等は、仕切板を支持する脚等として適しており、特に、パーティションに用いられる脚等として有用である。
【符号の説明】
【０１４１】
１、２  パーティション
１０、３０、３０ａ、３０ｂ  仕切板用脚
２０、４０  仕切板
１０１、３０１  支持板
１０２、３０２  切り込み
１０３、３０３  挟持部
１０４、３０４  吸盤
１０５、３０５  安定部材
１０１１、３０１１  上辺
１０１２、３０１２  底辺
１０１３、３０１３  底部
１０１４、１０３６、３０１４、３０３３  凹部
１０１５、１０１７、３０１５、３０１６、３０１７  開口部
１０１９  凸条
１０３１、３０３１  当接部材
１０３２、３０３２  差し込み部
１０３３  突起部
１０３４  凸部
１０３５  当接部分
１０５２、３０５２  第一の貫通孔
１０５３、３０５３  第二の貫通孔
１０５４、３０５４  突起
３０２１  端部
３０３４  当接面
３０５１  溝
【要約】
【課題】仕切板を容易に固定することができる仕切板用脚等を提供する。
【解決手段】上辺１０１１から底辺１０１２に向かって延びており、仕切板２０の厚さよりも幅が広い切り込み１０２を有し、切り込み１０２の延びる方向が鉛直方向となるよう配置される支持板１０１を備え、支持板１０１の、切り込み１０２と底辺１０１２との間の切り込み１０２の底部１０１３は、切り込み１０２に挿入される仕切板２０で上方向から押されることで、下方向に凸となるよう押し曲げ可能な形状を有しており、切り込み１０２の底部１０１３およびその近傍は、仕切板２０が切り込み１０２に挿入される前の状態において、支持板１０１が配置される配置面から離れており、切り込み１０２の上辺近傍に、切り込み１０２に挿入された仕切板２０で切り込み１０２の底部１０１３が上方向から押されて押し曲げられた状態において、仕切板２０を両面から挟持する挟持部１０３を備えた。
【選択図】図１【図１】
0006925068.tif 000002
【図２】
0006925068.tif 000003
【図３】
0006925068.tif 000004
【図４】
0006925068.tif 000005
【図５】
0006925068.tif 000006
【図６】
0006925068.tif 000007
【図７】
0006925068.tif 000008
【図８】
0006925068.tif 000009
【図９】
0006925068.tif 000010
【図１０】
0006925068.tif 000011
【図１１】
0006925068.tif 000012
【図１２】
0006925068.tif 000013
【図１３】
0006925068.tif 000014
【図１４】
0006925068.tif 000015